(57)【要約】      （修正有）【課題】ガイドレールへの取り付けに要する作業時間を短縮し得るエレベーターの釣合おもり装置を提供する。【解決手段】エレベーターの釣合おもり装置が、一対の縦枠２１と、縦枠２１と回動可能に連結されている一対の横枠とを有する枠体と、枠体の対角に設けられ、かつ、縦枠２１に設けられ、横枠が接触することにより、枠体の回動を制限するストッパーと、枠体に設けられ、昇降路内に設置されたガイドレールに係合するガイド装置２８と、ストッパーが設けられていない対角に、枠体の取付時の態様を保持するための保持部を備えるようにした。【選択図】図６
2019189444.tif 000002
【特許請求の範囲】
【請求項１】
一対の縦枠と、前記縦枠と回動可能に連結されている一対の横枠とを有する枠体と、
前記縦枠に設けられ、前記横枠が接触することにより、前記枠体の回動を制限するストッパーと、
前記枠体に設けられ、昇降路内に設置されたガイドレールに係合するガイド装置と、
を備えることを特徴とするエレベーターの釣合おもり装置。
【請求項２】
前記ストッパーは、前記枠体の対角に設けられ、
前記ストッパーが設けられていない対角に、前記枠体の取付時の態様を保持するための保持部を備える、
ことを特徴とする請求項１に記載のエレベーターの釣合おもり装置。
【請求項３】
前記ストッパーと前記縦枠とが重ねられた状態で、前記ストッパーおよび前記縦枠を貫通する複数のボルトにより締結されている、
ことを特徴とする請求項１に記載のエレベーターの釣合おもり装置。
【請求項４】
前記ストッパーを前記縦枠に設けるための結合部材を備え、
前記ストッパーは、前記結合部材とで前記縦枠を挟み込む構造により、前記縦枠に設けられる、
ことを特徴とする請求項１に記載のエレベーターの釣合おもり装置。
【請求項５】
一対の縦枠と、前記縦枠と回動可能に連結されている一対の横枠とを有する枠体と、前記縦枠に設けられ、前記横枠が接触することにより、前記枠体の回動を制限するストッパーと、前記枠体に設けられ、昇降路内に設置されたガイドレールに係合するガイド装置と、を備えるエレベーターの釣合おもり装置を取り付けるための取付方法であって、
前記縦枠に対して前記横枠を前記ストッパーまで回動させることで、前記枠体を変形させる第１のステップと、
前記枠体を復元させながら、前記ガイド装置を前記ガイドレールに係合させる第２のステップと、
を備えることを特徴とするエレベーターの釣合おもり装置の取付方法。
【発明の詳細な説明】
【技術分野】
【０００１】
本発明はエレベーターの釣合おもり装置およびエレベーターの釣合おもり装置の取付方法に関し、例えば昇降路内に設置されたガイドレールに係合するガイド装置を備える釣合おもり装置に適用して好適なものである。
【背景技術】
【０００２】
従来、昇降路の上下に伸びたガイドレール間を昇降するエレベーターの釣合おもり装置がガイドレールから外れないようにガイドする装置（以下、ガイド装置と称する。）が取り付けられている。
【０００３】
近年、地震の揺れ等によるガイドレールの変形に対して、ガイド装置がガイドレールから外れることを防止できるエレベーターの釣合おもり装置が開示されている（特許文献１参照）。
【先行技術文献】
【特許文献】
【０００４】
【特許文献１】特許第５８５５２５４号公報
【発明の概要】
【発明が解決しようとする課題】
【０００５】
耐震に対する強度基準が厳しくなり、従来のエレベーターの釣合おもり装置の構造では材料証明ができない釣合おもり装置については、材料証明が可能な釣合おもり装置に交換する必要がある。
【０００６】
一般に、エレベーターの釣合おもり装置を現地で取り付ける際にガイド装置がガイドレールに当たるため、ガイド装置を釣合おもり装置から取り外す必要がある。そして、ガイド装置を取り付ける際、ガイドレールとの隙間の調整作業に時間を要するが、現地での作業時間が決まっているため、作業時間の短縮が可能な構造が求められている。
【０００７】
例えば、特許文献１に記載されたエレベーターの釣合おもり装置の構造では、ガイドレールの変形に応じて枠体が変形したりガイド装置が変位したりしてガイドレールから外れることを防止できる一方、ガイドレールに取り付ける際には、作業性が悪くなってしまう。
【０００８】
本発明は以上の点を考慮してなされたもので、ガイドレールへの取り付けに要する作業時間を短縮し得るエレベーターの釣合おもり装置を提案しようとするものである。
【課題を解決するための手段】
【０００９】
かかる課題を解決するため本発明においては、一対の縦枠と、前記縦枠と回動可能に連結されている一対の横枠とを有する枠体と、前記縦枠に設けられ、前記横枠が接触することにより、前記枠体の回動を制限するストッパーと、前記枠体に設けられ、昇降路内に設置されたガイドレールに係合するガイド装置と、を設けるようにした。
【００１０】
また本発明においては、一対の縦枠と、前記縦枠と回動可能に連結されている一対の横枠とを有する枠体と、前記縦枠に設けられ、前記横枠が接触することにより、前記枠体の回動を制限するストッパーと、前記枠体に設けられ、昇降路内に設置されたガイドレールに係合するガイド装置と、を備えるエレベーターの釣合おもり装置を取り付けるための取付方法であって、前記縦枠に対して前記横枠を前記ストッパーまで回動させることで、前記枠体を変形させる第１のステップと、前記枠体を復元させながら、前記ガイド装置を前記ガイドレールに係合させる第２のステップと、を設けるようにした。
【００１１】
上記構成によれば、例えば、ガイド装置を枠体から取り外す必要がないので、ガイドレールへの取り付けに要する作業時間を短縮することができる。
【発明の効果】
【００１２】
本発明によれば、保守性の高いエレベーターの釣合おもり装置を実現することができる。
【図面の簡単な説明】
【００１３】
【図１】第１の実施の形態によるエレベーターに係る構成の一例を示す図である。
【図２】第１の実施の形態による交換前のエレベーターの釣合おもり装置を正面側から見た状態を示す概略図である。
【図３】第１の実施の形態による交換に用いられるエレベーターの釣合おもり装置を正面側から見た状態を示す概略図である。
【図４】第１の実施の形態による外側ストッパー機構の一例を示す図である。
【図５】第１の実施の形態による内側ストッパー機構の一例を示す図である。
【図６】第１の実施の形態によるエレベーターの釣合おもり装置の取付作業の状態を示す概略図である。
【発明を実施するための形態】
【００１４】
以下図面について、本発明の一実施の形態を詳述する。
【００１５】
（１）第１の実施の形態
図１において、１は第１の実施の形態によるエレベーターの釣合おもり装置を示す。
【００１６】
エレベーターの釣合おもり装置１は、乗客を収容して所望のフロアに運ぶための乗りかご２の走行負荷を軽減させる装置であり、昇降路内を昇降動作する箱状の移動体である。なお、エレベーターの釣合おもり装置１は、耐震に対する強度基準を満たすものである。
【００１７】
本実施の形態に係るエレベーターは、図１に示すように、エレベーターの釣合おもり装置１と、乗りかご２と、エレベーターの釣合おもり装置１および乗りかご２を連結する主ロープ３と、主ロープ３が巻き掛けられ、主ロープ３を移動させる巻上機４と、エレベーターの釣合おもり装置１および乗りかご２の接触を防止するためのそらせ車５とを備える。
【００１８】
また、昇降路には、エレベーターの釣合おもり装置１と昇降路の床面との衝突を避ける緩衝器６と、エレベーターの釣合おもり装置１の昇降を案内する上下に伸びた釣合おもり側ガイドレール７と、乗りかご２の昇降を案内する上下に伸びた乗りかご側ガイドレール８とが設置されている。
【００１９】
図２は、従来（交換前）のエレベーターの釣合おもり装置１０を正面側から見た状態を示す概略図である。
【００２０】
エレベーターの釣合おもり装置１０は、２本の縦枠１１と、上枠１２と、下枠１３と、主ロープ３を締結する吊り板１４と、緩衝器６との接触を受けるベース１５と、２本の縦枠１１間の広がりを低減する補強材１６と、重量を調整するおもり１７と、釣合おもり側ガイドレール７からエレベーターの釣合おもり装置１０が外れないようにガイドするガイド装置１８とを備えている。
【００２１】
また、縦枠１１と上枠１２とは、１箇所に２本の締結ボルト１９で固定され、縦枠１１と下枠１３とは、１箇所に２本の締結ボルト１９で固定される。
【００２２】
（釣合おもり側ガイドレール７からエレベーターの釣合おもり装置１０を取り外す方法）
エレベーターの釣合おもり装置１０を取り外す主な手順（一例）は、下記のようになる。
（手順１）主ロープ３から吊り板１４を取り外す
（手順２）縦枠１１から補強材１６を取り外す
（手順３）縦枠１１から上枠１２を取り外す
（手順４）おもり１７を取り外す
（手順５）釣合おもり側ガイドレール７からガイド装置１８（縦枠１１および下枠１３を）を取り外す
【００２３】
図３は、本実施の形態に係る（交換に用いられる）エレベーターの釣合おもり装置１に係る構成の一例を示す図（正面側から見た概念図）である。なお、エレベーターの釣合おもり装置１の背面（裏面）側については、正面側と同様であるので、図示およびその説明を省略する。
【００２４】
エレベーターの釣合おもり装置１は、２本の縦枠２１と上枠２２と下枠２３とを含んで構成される枠体を備える。また、エレベーターの釣合おもり装置１は、主ロープ３を締結する吊り板２４と、緩衝器６との接触を受けるベース２５と、２本の縦枠２１間の広がりを低減する補強材２６と、重量を調整するおもり２７とを備える。また、エレベーターの釣合おもり装置１は、枠体の幅方向の両側に設けられ、釣合おもり側ガイドレール７からエレベーターの釣合おもり装置１が外れないようにガイドするガイド装置２８を備える。
【００２５】
例えば、図３では、所定の部品（本例では、吊り板２４、ベース２５、補強材２６、おもり２７、および縦枠２１の外側の締結ボルト２９ｂ）と、所定の部品が取り外された枠体と、釣合おもり側ガイドレール７との隙間に係る調整作業が行われて枠体に取り付けられたガイド装置２８とが示されている。
【００２６】
エレベーターの釣合おもり装置１の取付時に用いる枠体では、縦枠２１と上枠２２とを締結する締結ボルト２９のうち縦枠２１の中央側の締結ボルト２９ａが仮止めされ、縦枠２１の外側の締結ボルト２９ｂが取り外され、縦枠２１と下枠２３とを締結する締結ボルト２９のうち縦枠２１の中央側の締結ボルト２９ａが仮止めされ、縦枠２１の外側の締結ボルト２９ｂが取り外されている。換言するならば、枠体は、一対の縦枠２１と、一対の縦枠２１と回動可能に連結されている一対の横枠（上枠２２および下枠２３）とを有する。なお、横枠は、矩形の板状部材である。
【００２７】
また、エレベーターの釣合おもり装置１は、エレベーターの釣合おもり装置１の一の対角の枠体の外側に外側ストッパー機構３１と、外側ストッパー機構３１が取り付けられていない他の対角の枠体の内側に内側ストッパー機構３２とを備える。
【００２８】
図４は、外側ストッパー機構３１の一例を示す図である。なお、図４は、エレベーターの釣合おもり装置１を側面側から見た概念図である。
【００２９】
図４に示すように、外側ストッパー機構３１は、外側ストッパー３１ａと、ブラケット３１ｂとで縦枠２１を挟む構造により、縦枠２１に設けられる。かかる構成によれば、枠体の外側に縦枠２１がはみ出す長さが短い場合であっても、外側ストッパー機構３１を縦枠２１に設けることができる。
【００３０】
また、外側ストッパー機構３１は、縦枠２１を確実に挟むように縦枠２１とブラケット３１ｂとの間に座金３１ｃを備え、外側ストッパー３１ａとブラケット３１ｂとがボルト締結される。
【００３１】
外側ストッパー３１ａは、上枠２２または下枠２３が接触することにより、枠体の回動を制限する斜面３１１と、後述の内側ストッパー機構３２の頂点３２２と対となり、枠体の取付時の態様を保持するための頂点３１２とを有する多角形体である。
【００３２】
また、外側ストッパー３１ａには、ブラケット３１ｂとの締結用に２つ以上の締結穴３１３が設けられている。このように、外側ストッパー３１ａと縦枠２１とを複数個所で固定することにより、１個所で固定する場合に比べて縦枠２１に対して斜面３１１が大きくずれてしまう事態、頂点３１２の位置がずれてしまう事態等を回避できるようになる。
【００３３】
ブラケット３１ｂは、外側ストッパー３１ａを縦枠２１に設けるための結合部材の一例である。ブラケット３１ｂは、縦枠２１と座金３１ｃとを挟めるように段差を有し、外側ストッパー３１ａと同数の締結穴３１４が設けられる。
【００３４】
なお、例えば、外側ストッパー３１ａとブラケット３１ｂと座金３１ｃと縦枠２１とを重ねた状態で締結穴を設けるスペースが確保できる場合、外側ストッパー３１ａとブラケット３１ｂと座金３１ｃと縦枠２１とがボルト締結される構成であってもよい。かかる構成によれば、外側ストッパー３１ａと縦枠２１とをより強固に固定することができるようになる。
【００３５】
図５は、内側ストッパー機構３２の一例を示す図である。なお、図５は、エレベーターの釣合おもり装置１を側面側から見た概念図である。
【００３６】
図５に示すように、内側ストッパー機構３２は、縦枠２１を内側ストッパー３２ａとブラケット３２ｂで挟む構造により、縦枠２１に設けられる。ただし、挟む構造に限られるものではなく、内側ストッパー３２ａと縦枠２１とが重ねられた状態で、内側ストッパー３２ａおよび縦枠２１を貫通する複数のボルトにより締結される構造であってもよい。
【００３７】
内側ストッパー３２ａは、外側ストッパー３１ａと同様の斜面３２１と頂点３２２とを有する多角形体であり、締結用に２つ以上の締結穴３２３が設けられる。このように、内側ストッパー３２ａと縦枠２１とを複数個所で固定することにより、１個所で固定する場合に比べて縦枠２１に対して斜面３２１が大きくずれてしまう事態、頂点３２２の位置がずれてしまう事態等を回避できるようになる。
【００３８】
なお、斜面３２１は、上枠２２または下枠２３が接触することにより、枠体の回動を制限する。頂点３２２は、外側ストッパー機構３１の頂点３１２と対となり、枠体の取付時の態様を保持する。
【００３９】
ブラケット３２ｂは、内側ストッパー３２ａを縦枠２１に設けるための結合部材の一例であり、内側ストッパー３２ａと同数の締結穴３２４が設けられる。
【００４０】
図６は、エレベーターの釣合おもり装置１の取付作業の状態を示す概略図である。
【００４１】
縦枠２１と上枠２２とは、エレベーターの釣合おもり装置１の各角を中央側の締結ボルト２９ａの１点で仮止めしているため、中央側の締結ボルト２９ａを基点に上枠２２が回動可能となる。縦枠２１と下枠２３とは、エレベーターの釣合おもり装置１の各角を中央側の締結ボルト２９ａの１点で仮止めしているため、中央側の締結ボルト２９ａを基点に下枠２３が回動可能となる。
【００４２】
また、外側ストッパー機構３１の斜面３１１と内側ストッパー機構３２の斜面３２１とが、上枠２２に接することにより、上枠２２の回動は、所定の角度α（０度＜角度α＜９０度）で止まる。また、外側ストッパー機構３１の斜面３１１と内側ストッパー機構３２の斜面３２１とが、下枠２３に接することにより、下枠２３の回動は、所定の角度αで止まる。
【００４３】
かかる構成により、枠体が変形可能となり、調整作業に時間を要するガイド装置２８を枠体から取り外して取り付ける必要がなくなるので、エレベーターの釣合おもり装置１の取付作業の時間を短縮することができる。
【００４４】
また、外側ストッパー機構３１の頂点３１２と内側ストッパー機構３２の頂点３２２とが上枠２２に接することにより、上枠２２の逆方向への回動ができない構成（釣合おもり側ガイドレール７との隙間の調整が行われた位置で回動が止まる構成）になる。外側ストッパー機構３１の頂点３１２と内側ストッパー機構３２の頂点３２２とが下枠２３に接することにより、下枠２３の逆方向への回動ができない構成（釣合おもり側ガイドレール７との隙間の調整が行われた位置で回動が止まる構成）になる。
【００４５】
かかる構成により、枠体を復元する位置を容易に決められるので、エレベーターの釣合おもり装置１の取付作業の時間をより短縮することができる。
【００４６】
（釣合おもり側ガイドレール７にエレベーターの釣合おもり装置１を取り付ける方法）
エレベーターの釣合おもり装置１を取り付ける主な手順（一例）は、下記のようになる。
（手順１）一対の縦枠２１に対して上枠２２および下枠２３をストッパー（外側ストッパー３１ａの斜面３１１または内側ストッパー３２ａの斜面３２１）まで回動させることで、枠体を変形させる
（手順２）枠体を復元させながら、ガイド装置２８を釣合おもり側ガイドレール７に係合させ、ストッパー（外側ストッパー３１ａの頂点３１２および内側ストッパー３２ａの頂点３２２）の位置まで回動させる
（手順３）所定の部品を取り付ける
【００４７】
かかる方法により、調整作業に時間を要するガイド装置２８を取り外すことなく、エレベーターの釣合おもり装置１を取り付けることができる。また、ストッパー（外側ストッパー３１ａおよび内側ストッパー３２ａ）により、復元後の釣合おもり側ガイドレール７との隙間の調整を不要とすることで、取付作業の効率がよくなる。
【００４８】
本実施の形態は、上述した構成に限られるものではなく、例えば、下記のような特徴を有する。
【００４９】
例えば、エレベーターの釣合おもり装置１は、枠体の回動を制限するストッパー（上述の例では、外側ストッパー３１ａおよび内側ストッパー３２ａ）を有することを特徴とする。
【００５０】
ここで、ストッパーは、エレベーターの釣合おもり装置１の対角に外側ストッパー３１ａと、外側ストッパー３１ａが取付いていない対角に内側ストッパー３２ａとが設けられる構成に限られるものではない。例えば、ストッパーは、枠体の適宜の位置に１つ設けられてもよいし、複数設けられてもよい。ストッパーが枠体に取り付けられる位置、大きさ、範囲も適宜の構成を採用してもよい。
【００５１】
また、ストッパーは、斜面を有する構成に限られるものではなく、枠体の回動を制限する制限部（例えば、ボルトなどによる固定部、その他の構成）を適宜に採用できる。かかる構成によれば、ガイド装置２８を取り外す必要がなくなると共に、枠体の変形の際に必要以上に枠体を回動してしまう事態を回避できるので、エレベーターの釣合おもり装置１の取付作業の時間を短縮することができる。
【００５２】
また、例えば、ストッパー（例えば、外側ストッパー３１ａ）は、ストッパーが設けられていない対角に、枠体の取付時の態様を保持するための保持部（例えば、内側ストッパー３２ａ）を有することを特徴とする。
【００５３】
ここで、枠体の取付時の態様を保持する構成は、外側ストッパー３１ａの頂点３１２と内側ストッパー３２ａの頂点３２２とが対となって実現される構成に限られるものではなく、変形の方向と逆方向の回動を制限する適宜の制限部（例えば、縦枠２１のガイド装置２８付近に係止部が設けられ、横枠の頂点付近が係止部に接触することで係止される構成、その他の構成）を採用できる。かかる構成によれば、枠体を復元する位置を容易に決定でき、釣合おもり側ガイドレール７との調整後の隙間を迅速かつ正確に再現することができるので、エレベーターの釣合おもり装置１の取付作業の時間を短縮することができる。
【００５４】
付言するならば、ストッパーと保持部とを採用することにより、枠体が閉じてしまって、物が挟まってしまう事態を回避できるようになるので、エレベーターの釣合おもり装置１の取付作業の時間の短縮に寄与する。
【００５５】
本実施の形態によれば、保守性の高いエレベーターの釣合おもり装置を実現することができる。
【００５６】
以上、本実施の形態を説明したが、本実施の形態で説明した構成はあくまで一例であり、本発明は、技術思想を逸脱しない範囲内で適宜変更が可能である。
【００５７】
（２）他の実施の形態
なお上述の実施の形態においては、本発明をエレベーターの釣合おもり装置１に適用するようにした場合について述べたが、本発明はこれに限らず、この他種々のエレベーターの釣合おもり装置、エレベーターの釣合おもり装置の取付方法に広く適用することができる。
【００５８】
また、上述の実施の形態においては、ガイド装置２８が枠体の対角に設けられる構成を例に挙げて説明したが、ガイド装置２８の数、ガイド装置２８の枠体への取付位置、ガイド装置２８の形状などは、特に限定されるものではなく、適宜の構成を採用することができる。
【００５９】
また上述した構成については、本発明の要旨を超えない範囲において、適宜に、変更したり、組み替えたり、組み合わせたり、省略したりしてもよい。
【符号の説明】
【００６０】
１……エレベーターの釣合おもり装置、２１……縦枠、２２……上枠、２３……下枠、２４……吊り板、２５……ベース、２６……補強材、２７……おもり、２８……ガイド装置、２９……締結ボルト、３１……外側ストッパー機構、３２……内側ストッパー機構。
【図１】
2019189444.tif 000003
【図２】
2019189444.tif 000004
【図３】
2019189444.tif 000005
【図４】
2019189444.tif 000006
【図５】
2019189444.tif 000007
【図６】
2019189444.tif 000008